(57)【要約】【課題】  棒状化粧料が十分に保護される棒状化粧料繰出容器を提供する。【解決手段】  周方向に複数配設され棒状化粧料Ｍの後端部を支持する支持片２１ａと、この支持片２１ａを備える棒状化粧料支持体２１を摺動可能に収容するスリットパイプ２２のその周壁２２ｂに軸線方向に延在するように形成され上記支持片２１ａが摺動可能に進入するスリット２２ａとを、支持片２１ａの厚み方向の動きを拘束する形状に構成し、従来の横断面略長方形形状の支持片では阻止されていない支持片２１ａの厚み方向への動きを阻止する。これにより、棒状化粧料支持体２１及び棒状化粧料Ｍの摺動時のガタツキを抑止して摺動の安定化を図ると共に、落下等による外力作用時の棒状化粧料支持体２１及び棒状化粧料Ｍのブレを抑止する。【選択図】  図３
2005028007.tif 000002
【特許請求の範囲】
【請求項１】
周方向に複数配設した支持片により棒状化粧料の後端部を支持する棒状化粧料支持体と、この棒状化粧料支持体を摺動可能に収容すると共に、軸線方向に延在するスリットを周壁に複数備え当該スリットに前記支持片が摺動可能に進入するスリットパイプと、を具備し、前記棒状化粧料支持体の進退に従って、前記棒状化粧料を容器の先端から出没可能とする棒状化粧料繰出容器において、
前記支持片及び前記スリットは、前記支持片の厚み方向の動きを拘束する形状に構成されていることを特徴とする棒状化粧料繰出容器。
【請求項２】
前記支持片は、内周面が前記棒状化粧料を支持可能な円弧面にされると共に、内周面に比して外周面が長くされる横断面略扇形形状とされていることを特徴とする請求項１記載の棒状化粧料繰出容器。
【請求項３】
周方向に複数配設した支持片により棒状化粧料の後端部を支持する棒状化粧料支持体と、この棒状化粧料支持体を摺動可能に収容すると共に、軸線方向に延在するスリットを周壁に複数備え当該スリットに前記支持片が摺動可能に進入するスリットパイプと、を具備し、前記棒状化粧料支持体の進退に従って、前記棒状化粧料を容器の先端から出没可能とする棒状化粧料繰出容器において、
両側がスリットである前記周壁の内周面に、軸線方向に延在する凹設溝を設けると共に、
前記棒状化粧料支持体の外周面に、軸線方向に延在し前記凹設溝に摺動可能に進入する突部を設けたことを特徴とする棒状化粧料繰出容器。
【請求項４】
周方向に複数配設した支持片により棒状化粧料の後端部を支持する棒状化粧料支持体と、この棒状化粧料支持体を摺動可能に収容すると共に、軸線方向に延在するスリットを周壁に複数備え当該スリットに前記支持片が摺動可能に進入するスリットパイプと、を具備し、前記棒状化粧料支持体の進退に従って、前記棒状化粧料を容器の先端から出没可能とする棒状化粧料繰出容器において、
両側がスリットである前記周壁が、内側に弓状に湾曲していることを特徴とする棒状化粧料繰出容器。
【発明の詳細な説明】
【技術分野】
【０００１】
本発明は、棒状化粧料の後端部を支持する複数の支持片を備える棒状化粧料支持体が、スリットパイプに摺動可能に収容されると共に、この棒状化粧料支持体の支持片が、スリットパイプのスリットに摺動可能に進入している棒状化粧料繰出容器に関する。
【背景技術】
【０００２】
従来、周方向に複数配設した支持片により棒状化粧料の後端部を支持する棒状化粧料支持体と、この棒状化粧料支持体を摺動可能に収容すると共に、軸線方向に延在するスリットを周壁に複数備え当該スリットに支持片が摺動可能に進入するスリットパイプと、を具備し、棒状化粧料支持体の進退に従って、棒状化粧料を容器の先端から出没可能とする棒状化粧料繰出容器が知られている（例えば、特許文献１参照）。
【０００３】
この棒状化粧料繰出容器にあっては、横断面（軸線方向直交面）略長方形形状の支持片を、この支持片に略合致する形状のスリットに摺動可能に進入させることで、棒状化粧料支持体及び棒状化粧料の摺動時のガタツキを抑止して摺動の安定化を図ると共に、棒状化粧料繰出容器の落下等により当該容器に対して衝撃等の外力が作用した時の棒状化粧料支持体及び棒状化粧料のブレを抑止し、棒状化粧料を保護している。
【特許文献１】特公平３−７１１２１号公報
【発明の開示】
【発明が解決しようとする課題】
【０００４】
しかしながら、上記棒状化粧料繰出容器にあっては、棒状化粧料支持体及び棒状化粧料に対する摺動時のガタツキの抑止及び外力作用時のブレの抑止が十分では無く、その結果、棒状化粧料が進退する進退路の内面や、容器先端の棒状化粧料の出没口の周面やその近傍内面に対して、棒状化粧料が押し付けられ、当該棒状化粧料の損傷、折損、棒状化粧料支持体からの抜け等が生じる虞があり、棒状化粧料の十分な保護が求められている。
【０００５】
本発明は、このような課題を解決するために成されたものであり、棒状化粧料支持体に支持される棒状化粧料を十分に保護し得る棒状化粧料繰出容器を提供することを目的とする。
【課題を解決するための手段】
【０００６】
本発明による棒状化粧料繰出容器は、周方向に複数配設した支持片により棒状化粧料の後端部を支持する棒状化粧料支持体と、この棒状化粧料支持体を摺動可能に収容すると共に、軸線方向に延在するスリットを周壁に複数備え当該スリットに支持片が摺動可能に進入するスリットパイプと、を具備し、棒状化粧料支持体の進退に従って、棒状化粧料を容器の先端から出没可能とする棒状化粧料繰出容器において、支持片及びスリットは、支持片の厚み方向の動きを拘束する形状に構成されていることを特徴としている。
【０００７】
このような棒状化粧料繰出容器によれば、周方向に複数配設され棒状化粧料の後端部を支持する支持片と、この支持片を備える棒状化粧料支持体を摺動可能に収容するスリットパイプのその周壁に軸線方向に延在するように形成され上記支持片が摺動可能に進入するスリットとが、支持片の厚み方向の動きを拘束する形状に構成されているため、従来の横断面略長方形形状の支持片では阻止されていない支持片の厚み方向への動きが阻止される。このため、棒状化粧料支持体及び棒状化粧料の摺動時のガタツキが抑止されて摺動の安定化が図られると共に、落下等による外力作用時の棒状化粧料支持体及び棒状化粧料のブレが抑止される。特に、支持片の厚み方向の動きを拘束する形状が、棒状化粧料側である内側への動きを拘束する形状の場合には、棒状化粧料の損傷、折損を防止するのに効果的とされ、外側への動きを拘束する形状の場合には、棒状化粧料の抜けを防止するのに効果的とされる。
【０００８】
ここで、支持片は、内周面が棒状化粧料を支持可能な円弧面にされると共に、内周面に比して外周面が長くされる横断面略扇形形状とされていると、棒状化粧料を収容しているスリットパイプの当該棒状化粧料に対する接触面積（包囲面積）が大きくされ、棒状化粧料の摺動の安定化が一層図られると同時に、支持片の断面積が大きくされて支持片の剛性を確保するのに十分な肉厚とされる。
【０００９】
また、本発明による棒状化粧料繰出容器は、周方向に複数配設した支持片により棒状化粧料の後端部を支持する棒状化粧料支持体と、この棒状化粧料支持体を摺動可能に収容すると共に、軸線方向に延在するスリットを周壁に複数備え当該スリットに支持片が摺動可能に進入するスリットパイプと、を具備し、棒状化粧料支持体の進退に従って、棒状化粧料を容器の先端から出没可能とする棒状化粧料繰出容器において、両側がスリットである周壁の内周面に、軸線方向に延在する凹設溝を設けると共に、棒状化粧料支持体の外周面に、軸線方向に延在し凹設溝に摺動可能に進入する突部を設けたことを特徴としている。
【００１０】
このような棒状化粧料繰出容器によれば、両側がスリットである周壁の内周面に軸線方向に延在するように設けられる凹設溝に対して、棒状化粧料支持体の外周面に軸線方向に延在するように設けられる突部が、摺動可能に進入するため、スリットパイプの内外を連通するスリットに対して棒状化粧料支持体側の突部が進入するという構成に比すると、棒状化粧料支持体及び棒状化粧料の摺動時のガタツキが抑止されて摺動の安定化が図られると共に、落下等による外力作用時の棒状化粧料支持体及び棒状化粧料のブレが抑止される。
【００１１】
また、本発明による棒状化粧料繰出容器は、周方向に複数配設した支持片により棒状化粧料の後端部を支持する棒状化粧料支持体と、この棒状化粧料支持体を摺動可能に収容すると共に、軸線方向に延在するスリットを周壁に複数備え当該スリットに支持片が摺動可能に進入するスリットパイプと、を具備し、棒状化粧料支持体の進退に従って、棒状化粧料を容器の先端から出没可能とする棒状化粧料繰出容器において、両側がスリットである周壁が、内側に弓状に湾曲していることを特徴としている。
【００１２】
このような棒状化粧料繰出容器によれば、両側がスリットである周壁が内側に弓状に湾曲しているため、当該周壁により棒状化粧料支持体及び棒状化粧料が柔らかく弾性支持されると共に、当該周壁と棒状化粧料支持体及び棒状化粧料とが適度な力で接触する。このため、棒状化粧料支持体及び棒状化粧料の摺動時のガタツキが抑止されて摺動の安定化が図られると共に、落下等により作用する外力が当該周壁に吸収され棒状化粧料支持体及び棒状化粧料のブレが抑止される。
【発明の効果】
【００１３】
本発明による棒状化粧料繰出容器によれば、棒状化粧料を十分に保護することが可能となる。
【発明を実施するための最良の形態】
【００１４】
以下、本発明による棒状化粧料繰出容器の好適な実施形態について図１〜図１２を参照しながら説明する。
【００１５】
図１〜図８は、本発明の第一実施形態に係る棒状化粧料繰出容器を示す各図であって、図１は、本発明の第一実施形態に係る棒状化粧料繰出容器を示す縦断面図、図２は、図１中の棒状化粧料カートリッジを示す斜視図、図３は、図１のIII−III矢視図、図４は、図１及び図２中のスリットパイプを示す斜視図、図５は、図４に示すスリットパイプの右側面図、図６は、図５のVI-VI矢視図、図７は、図５のVII-VII矢視図、図８は、図１及び図２中の棒状化粧料支持体を示す斜視図であり、本実施形態の棒状化粧料繰出容器は、例えば、アイライナー、アイブロー、リップライナー等を始めとした種々の固形状の棒状化粧料を収容し、使用者が必要に応じて適宜出没可能とする棒状化粧料繰出容器である。
【００１６】
図１に示すように、棒状化粧料繰出容器１は、全体形状が筆記具の如き細長い丸棒状（スティック状）を成し良好な外観を呈するもので、図１及び図２に示すように、棒状化粧料Ｍを収容する棒状化粧料カートリッジ２を、図１に示すように、カートリッジ収容容器３の先端側（図示左側）に着脱可能に備えている。このカートリッジ収容容器３の後端側には、ブラシホルダ６を介してスクリューブラシ７が装着され、このスクリューブラシ７は、カートリッジ収容容器３の後端部に着脱可能に装着されるキャップ８により、覆われ保護されている。
【００１７】
カートリッジ収容容器３は、先端側のホルダ４と、このホルダ４を装着する容器本体５と、を備えて内部に押棒９を収容し、ホルダ４と容器本体５との相対回転により、押棒９を進退させるものである。
【００１８】
ホルダ４は、両端が開放される略円筒形状に構成されている。このホルダ４の内周面には、円筒状の板バネ１０が設けられ、挿入される棒状化粧料カートリッジ２の後半部を、板バネ１０の摩擦作用により着脱可能に保持する。このホルダ４の後端部４ａは、小径の段付円筒形状に構成され、この小径段付円筒部分内には、軸線方向に延在するスリットパイプ１１のその先端部が嵌合固定されている。このスリットパイプ１１は、その周壁に軸線方向に延在し内外を連通するスリット１１ａを備えると共に、円柱形状の押棒９を摺動可能に収容し、当該押棒９の後端部に突設される突部９ａが、スリット１１ａを通して外方に突出し当該スリット１１ａを摺動可能とされている。この突部９ａ及びスリット１１ａにより、押棒９の回り止め機構及び進退案内機構が構成されている。また、スリットパイプ１１の後端部は膨出部１１ｂとされている。
【００１９】
ホルダ４を装着する容器本体５は、両端が開放される長尺の円筒形状に構成されている。この容器本体５内には、螺子筒１２が嵌合固定されている。この螺子筒１２は、その先端部を除く内周面に、螺旋溝１２ａを備え、この螺旋溝１２ａに、押棒９の突部９ａが係合され、押棒９の螺子機構が構成されている。
【００２０】
この螺子筒１２の後端面と上記スリットパイプ１１の膨出部１１ｂとの間には、圧縮バネ１３が配置されている。この圧縮バネ１３の付勢力により螺子筒１２が先端側へ押圧され、ホルダ４及びスリットパイプ１１と、容器本体５及び螺子筒１２とが、相対回転自在に連結されている。そして、ホルダ４と容器本体５とが相対回転されると、押棒９がスリットパイプ１１内を進退し、押棒９の先端が、ホルダ４の先端から出没する。
【００２１】
また、螺子筒１２の螺旋溝１２ａの先端には、当該螺旋溝１２ａに連続して空間１４が形成されている。この空間１４には、中空円板状を成しスリットパイプ１１が挿通するワッシャ１５が配置され、このワッシャ１５とホルダ４の後端部４ａの後端面との間に、圧縮バネ１６が配置されている。この圧縮バネ１６の付勢力は、圧縮バネ１３の付勢力より小さく設定され、押棒９は、ワッシャ１５を介して後方側へ付勢されている。そして、このような圧縮バネ１６及びワッシャ１５により、押棒９が上記相対回転に従って前進し突部９ａが螺旋溝１２ａの最先端に至り上記相対回転が逆転された時に、押棒９の後退が容易とされていると共に、押棒９の突部９ａが螺旋溝１２ａの最先端から外れた時に、上記押棒９を前進させる相対回転が継続されても空転を生じさせ、各構成部分の破損を防止するようになっている。
【００２２】
このようなカートリッジ収容容器３に着脱可能に装着される棒状化粧料カートリッジ２は、図１〜図３に示すように、略円筒形状のカートリッジ本体２０を具備している。このカートリッジ本体２０は、図１に示すように、カートリッジ収容容器３のホルダ４から突出する摘み部としての先端側の前半部２０ａと、図１及び図２に示すように、前半部２０ａに段差面２０ｃを介し外周面が小径とされて連続しホルダ４に収容される後半部２０ｂとを備え、カートリッジ本体２０の前半部２０ａは、先端に向けて次第に外径が細くなる先細り形状とされている。
【００２３】
このカートリッジ本体２０内には、図１〜図３に示すように、棒状化粧料Ｍを支持する棒状化粧料支持体２１と、この棒状化粧料支持体２１を軸線方向に摺動可能に収容するスリットパイプ２２と、このスリットパイプ２２に巻き付くように外挿される圧縮バネ２３とが収容されている。
【００２４】
カートリッジ本体２０の内周面は、図１及び図２に示すように、後端から先端部の内径を小径とする段差面２０ｄ迄が、圧縮バネ２３を挿入可能とする大きさとされ、この段差面２０ｄに連続し先端近傍の内径をさらに小径とする傾斜段差面２０ｅ迄が、スリットパイプ２２の先端部を挿入可能とする大きさとされ、この傾斜段差面２０ｅに連続する先端迄が、棒状化粧料Ｍを進退可能とする大きさとされている。また、カートリッジ本体２０の後端部の内周面には、スリットパイプ２２を装着するための環状溝部２０ｆが形成されている。
【００２５】
ここで、特に本実施形態の特徴を成す棒状化粧料支持体２１及びスリットパイプ２２の構成について以下説明する。
【００２６】
スリットパイプ２２に収容されている棒状化粧料支持体２１は、図１に示すように、棒状化粧料Ｍを保持して進退するもので、図１及び図８に示すように、棒状化粧料Ｍの後端面が突き当てられる基部２１ｄと、この棒状化粧料Ｍの後端部を支持する複数（本実施形態では二個）の支持片２１ａと、を備え、弾性を有する例えば樹脂等の一体成形品とされている。
【００２７】
基部２１ｄは、軸体を軸線方向に延在して成るもので、円柱形状又は楕円柱形状の棒状化粧料Ｍに略合致する形状に構成されている。
【００２８】
支持片２１ａは、基部２１ｄの先端部の外周面の対向位置に、容器１の先端側に向かって突出するように設けられている。この支持片２１ａは、基部２１ｄの後端部近傍迄延在し、この支持片２１の後端部には、外方に向かって突出する突部２１ｂが設けられている。この突部２１ｂは、圧縮バネ２３のバネ受けとして機能する。
【００２９】
また、支持片２１ａは、図３及び図８に示すように、内外周面が円弧状のこば面に形成され、内周面が棒状化粧料Ｍを支持可能な円弧面にされると共に、内周こば面に比して外周こば面が長くされる横断面略扇形形状とされている。そして、これらの支持片２１ａ，２１ａ同士の間に、図１に示すように、棒状化粧料Ｍの後端部が嵌め込まれ保持されている。
【００３０】
なお、支持片２１ａの内面には、図３及び図８に示すように、棒状化粧料Ｍとの接触面積を増大し、棒状化粧料Ｍの離脱（抜け）を防止するための突条２１ｅが、支持片２１ａの先端近傍から基部２１ｄ迄延びるように設けられている。
【００３１】
また、棒状化粧料支持体２１は、基部２１ｄの外周面で支持片２１ａ，２１ａ同士の間の位置に、スリットパイプ２２に対するガタツキ、ブレを抑止するための突部２１ｃを、基部２１ｄの先端から後端迄延びるように備えている。
【００３２】
この棒状化粧料支持体２１を収容するスリットパイプ２２は、弾性を有する例えば樹脂等の一体成形品とされ、図４〜図７に示すように、略円筒形状に構成されている。
【００３３】
このスリットパイプ２２は、図１、図２、図４〜図６に示すように、その周壁の先端部及び後端部を除く位置に、軸線方向に延在し内外を連通するスリット２２ａを周方向に複数備えている。このスリット２２ａの形状は、図３及び図７に示すように、支持片２１の横断面形状と略相似形を成す開口とされている。
【００３４】
そして、このスリット２２ａに、図１及び図３に示すように、棒状化粧料支持体２１の支持片２１ａが軸線方向に摺動可能に進入すると共に、図１〜図３に示すように、このスリット２２ａを通して、棒状化粧料支持体２１の突部２１ｂが外方に突出する状態で、棒状化粧料支持体２１がスリットパイプ２２に収容されている。
【００３５】
このように、横断面略扇形形状とされる支持片２１ａ及びスリット２２ａにより、支持片２１ａは、その厚み方向である内側への動きが拘束されて軸線方向に摺動する。
【００３６】
また、図３、図４、図６及び図７に示すように、両側がスリット２２ａ，２２ａである周壁２２ｂには、その内周面に、軸線方向に延在する凹設溝２２ｃが設けられている。
【００３７】
そして、この凹設溝２２ｃに、図３に示すように、棒状化粧料支持体２１の突部２１ｃが摺動可能に進入した状態とされている。
【００３８】
また、スリットパイプ２２の周壁２２ｂは、図では分かり難いが、内側に弓状に湾曲し、棒状化粧料支持体２１及び棒状化粧料Ｍに弾性的に接している。この周壁２２ｂの外面は、図２〜図４及び図７に示すように、軸線方向に沿って平坦面に構成され、当該周壁２２ｂが薄肉化されていることで、内側に弓状に湾曲する形状の形成が容易とされている。
【００３９】
このスリットパイプ２２の後端部は、図１、図２、図４〜図６に示すように、外周面が大径とされて円筒形状を成す尾栓部２２ｄとされている。この尾栓部２２ｄの内周面は、カートリッジ収容容器３の押棒９の進退を可能とする大きさに構成されている。
【００４０】
この棒状化粧料支持体２１を収容するスリットパイプ２２は、図１及び図２に示すように、その先端面が、カートリッジ本体２０内の傾斜段差面２０ｅに突き当てられると共に、尾栓部２２ｄの外周面に形成される環状突部２２ｅが、カートリッジ本体２０内の環状溝部２０ｆに係合することで、尾栓部２２ｄがカートリッジ本体２０の後端の開口を蓋し押棒９の通過を可能とした状態で、カートリッジ本体２０に固定されている。
【００４１】
圧縮バネ２３は、バネ自体の絡み付きを防止すべく、図２に示すように、先端部、後端部及び中間部が密を成す螺旋状に、それ以外の部分が疎を成す螺旋状に構成されている。
【００４２】
この圧縮バネ２３は、図１及び図２に示すように、スリットパイプ２２の周囲で、棒状化粧料支持体２１の突部２１ｂとカートリッジ本体２０内の段差面２０ｄとの間に配置され、突部２１ｂを介して棒状化粧料支持体２１及び棒状化粧料Ｍを後方側（押棒９側）に付勢し、棒状化粧料支持体２１が上記押棒９により押圧されていない状態において、当該棒状化粧料支持体２１の突部２１ｂを、スリットパイプ２２のスリット２２ａの後端位置に押し付ける構成とされている。このスリット２２ａの後端位置に突部２１ｂが位置している時が、棒状化粧料支持体２１の後退限とされ、この時、棒状化粧料Ｍの先端は、カートリッジ本体２０の先端の開口から没した状態にある。
【００４３】
そして、このような構成を有する棒状化粧料カートリッジ２を組み立てる場合には、先ず、スリットパイプ２２の弾性を有する周壁２２ｂを互いに離間する方向に引っ張り当該周壁２２ｂ，２２ｂ同士間のスリット２２ａ，２２ａを押し広げ当該スリット２２ａを通して棒状化粧料支持体２１をスリットパイプ２２内に進入させ、棒状化粧料支持体２１の突部２１ｂをスリットパイプ２２のスリット２２ａに通すと共に棒状化粧料支持体２１の支持片２１ａをスリット２２ａに進入させ、同時に、棒状化粧料支持体２１の突部２１ｃをスリットパイプ２２の凹設溝２２ｃに進入させる。次いで、この棒状化粧料支持体２１を摺動可能に収容するスリットパイプ２２に、圧縮バネ２３を当該圧縮バネ２３の後端から外挿し、この圧縮バネ２３の後端を棒状化粧料支持体２１の突部２１ｂに突き当てる。
【００４４】
次いで、図１及び図２に示すように、この棒状化粧料支持体２１を収容し圧縮バネ２３が巻装されたスリットパイプ２２を、カートリッジ本体２０の後端面の開口から内挿し、当該スリットパイプ２２の先端面をカートリッジ本体２０内の傾斜段差面２０ｅに突き当てると共に、圧縮バネ２３の先端面をカートリッジ本体２０内の段差面２０ｄに突き当て、スリットパイプ２２の後端部の環状突部２２ｅをカートリッジ本体２０内の環状溝部２０ｆに係合することで、カートリッジ本体２０に軸線方向移動不能に装着する。
【００４５】
そして、棒状化粧料Ｍを、カートリッジ本体２０の先端面の開口を通して挿入し、棒状化粧料支持体２１の基部２１ｄに突き当てることで、その後端部を支持片２１ａに支持させ、これにより、図２に示す棒状化粧料カートリッジ２が得られる。
【００４６】
このような棒状化粧料カートリッジ２を備える棒状化粧料繰出容器１によれば、カートリッジ本体２０の前半部２０ａ又はカートリッジ収容容器３のホルダ４と、カートリッジ収容容器３の容器本体５とを摘み、これらを相対回転すると、押棒９が進退してスリットパイプ２２の尾栓部２２ｄを通過し、この押棒９が前進すると当該押棒９に棒状化粧料支持体２１が押し出されて前進し、棒状化粧料Ｍが棒状化粧料カートリッジ２の先端の開口から突出して当該棒状化粧料Ｍの塗布が可能とされ、一方、押棒９が後退すると、圧縮バネ２３の付勢力により棒状化粧料支持体２１は押棒９側へ押圧されて押棒９に当接する迄後退し、棒状化粧料支持体２１を後退限迄後退させると、棒状化粧料Ｍは、棒状化粧料カートリッジ２の先端の開口から没し棒状化粧料カートリッジ２内に収容される。
【００４７】
また、棒状化粧料カートリッジ２をカートリッジ収容容器３から抜脱すると、棒状化粧料支持体２１に対して押棒９による押圧力が無くなくなるため、棒状化粧料支持体２１は、圧縮バネ２３の付勢力により、後退限迄後退し、棒状化粧料Ｍは、棒状化粧料カートリッジ２の先端の開口から没し棒状化粧料カートリッジ２内に収容される。このため、棒状化粧料カートリッジ２を抜脱した状態では、衣服、指先、ハンドバック等を汚すことが防止されている。
【００４８】
このような棒状化粧料繰出容器１にあって、特に本実施形態においては、棒状化粧料支持体２１の支持片２１ａが、横断面略扇形形状（その内面を小とし外面を大とする傾斜側面を備える形状）とされていると共に、この支持片２１ａが進入するスリットパイプ２２のスリット２２ａが、支持片２１ａの横断面形状と略相似形を成し支持片２１ａの摺動を可能とする形状とされているため、従来の横断面略長方形形状の支持片では阻止されていない支持片２１ａの厚み方向である内側への動きが阻止されている。このため、棒状化粧料支持体２１及びこれに保持される棒状化粧料Ｍの摺動時のガタツキが抑止されて摺動の安定化が図られていると共に、落下等による外力作用時の棒状化粧料支持体２１及び棒状化粧料Ｍのブレが抑止されている。その結果、棒状化粧料Ｍが十分に保護されている。特に、このような支持片２１ａの内側への動きを阻止する構成により、棒状化粧料Ｍの損傷、折損が効果的に防止されている。
【００４９】
また、このように支持片２１ａが横断面略扇形形状とされている（その内面を小としている）ため、図３に示すように、棒状化粧料Ｍを収容しているスリットパイプ２２の当該棒状化粧料Ｍに対する接触面積（包囲面積）が大きくされ、棒状化粧料Ｍの摺動の安定化が一層図られていると同時に、支持片２１ａの断面積が大きくされて支持片２１ａの剛性を確保するのに十分な肉厚とされている。その結果、棒状化粧料Ｍが一層十分に保護されている。
【００５０】
また、本実施形態では、両側がスリット２２ａ，２２ａである周壁２２ｂの内周面に、軸線方向に延在するように設けられる凹設溝２２ｃに対して、棒状化粧料支持体２１の外周面に軸線方向に延在するように設けられる突部２１ｃが、摺動可能に進入している。このため、スリットパイプ２２のスリット２２ａに対して棒状化粧料支持体側の突部が進入するという構成に比して、棒状化粧料支持体２１及び棒状化粧料Ｍの摺動時のガタツキが抑止されて摺動の安定化が図られていると共に、落下等による外力作用時の棒状化粧料支持体２１及び棒状化粧料Ｍのブレが抑止されている。その結果、棒状化粧料Ｍが一層十分に保護されている。
【００５１】
さらにまた、本実施形態では、両側がスリット２２ａ，２２ａである周壁２２ｂが、内側に弓状に湾曲しているため、当該周壁２２ｂにより、棒状化粧料支持体２１及び棒状化粧料Ｍが柔らかく弾性支持されていると共に、当該周壁２２ｂと棒状化粧料支持体２１及び棒状化粧料Ｍとが適度な力で接触している。このため、棒状化粧料支持体２１及び棒状化粧料Ｍの摺動時のガタツキが抑止されて摺動の安定化が図られていると共に、落下等により作用する外力が当該周壁２２ｂで吸収され棒状化粧料支持体２１及び棒状化粧料Ｍのブレが抑止されている。その結果、棒状化粧料Ｍが一層十分に保護されている。
【００５２】
続いて、以下に本発明の第二〜第五実施形態を説明するが、各図において、第一実施形態と同一の要素については同一の符号を付し、重複する説明は省略する。
【００５３】
図９は、本発明の第二実施形態に係る棒状化粧料繰出容器のスリットパイプ及び棒状化粧料支持体を抽出して示す横断面図である。
【００５４】
この第二実施形態のスリットパイプ３２が、第一実施形態のスリットパイプ２２と違う点は、両側がスリット２２ａ，２２ａである周壁３２ｂの外面が、円弧面に構成されている点である。
【００５５】
このように構成しても第一実施形態と略同様な効果を得ることができるというのはいうまでもない。
【００５６】
図１０は、本発明の第三実施形態に係る棒状化粧料繰出容器のスリットパイプ及び棒状化粧料支持体を抽出して示す横断面図である。
【００５７】
この第三実施形態のスリットパイプ４２及び棒状化粧料支持体４１が、第二実施形態のスリットパイプ３２及び棒状化粧料支持体２１と違う点は、棒状化粧料支持体４１の支持片４１ａの側面が、外側に向かって階段状に広がる形状（広がりは一段）にされていると共に、スリットパイプ４２のスリット４２ａと周壁４２ｂのスリット４２ａを形成する開口縁部とが、棒状化粧料支持体４１の支持片４１ａの形状に対応する形状とされている点である。
【００５８】
このように、支持片４１ａが、その内面を小とし外面を大とする階段状の側面を備える形状とされているため、第二実施形態と同様に、支持片４１ａの内側への動きが阻止される。従って、第二実施形態と同様な効果を得ることができる。
【００５９】
図１１は、本発明の第四実施形態に係る棒状化粧料繰出容器のスリットパイプ及び棒状化粧料支持体を抽出して示す横断面図である。
【００６０】
この第四実施形態のスリットパイプ５２及び棒状化粧料支持体５１が、第二実施形態のスリットパイプ３２及び棒状化粧料支持体２１と違う点は、第二実施形態の支持片２１ａの内外を逆とし、棒状化粧料支持体５１の支持片５１ａが、内面が大で外面が小の横断面略扇形形状（その内面を大とし外面を小とする傾斜側面を備える形状）とされ、スリットパイプ５２のスリット５２ａと周壁５２ｂのスリット５２ａを形成する開口縁部とが、棒状化粧料支持体５１の支持片５１ａの形状に対応する形状とされている点である。
【００６１】
このように、支持片５１ａが、内面が大で外面が小の横断面略扇形形状とされているため、支持片５１ａの厚み方向である外側への動きが阻止される。このため、棒状化粧料支持体５１及び棒状化粧料Ｍの摺動時のガタツキが抑止されて摺動の安定化が図られると共に、落下等による外力作用時の棒状化粧料支持体５１及び棒状化粧料Ｍのブレが抑止される。その結果、棒状化粧料Ｍを十分に保護することが可能となる。特に、このような支持片５１ａの外側への動きを阻止する構成は、棒状化粧料Ｍの抜けを防止するのに効果的である。
【００６２】
図１２は、本発明の第五実施形態に係る棒状化粧料繰出容器のスリットパイプ及び棒状化粧料支持体を抽出して示す横断面図である。
【００６３】
この第五実施形態のスリットパイプ６２及び棒状化粧料支持体６１が、第三実施形態のスリットパイプ４２及び棒状化粧料支持体４１と違う点は、第三実施形態の支持片４１ａの内外を逆とし、棒状化粧料支持体６１の支持片６１ａの側面が、内側に向かって階段状に広がる形状（広がりは一段）にされていると共に、スリットパイプ６２のスリット６２ａと周壁６２ｂのスリット６２ａを形成する開口縁部とが、棒状化粧料支持体６１の支持片６１ａの形状に対応する形状とされている点である。
【００６４】
このように、支持片６１ａが、その内面を大とし外面を小とする階段状の側面を備える形状とされているため、第四実施形態と同様に、支持片６１ａの外側への動きが阻止される。従って、第四実施形態と同様な効果を得ることができる。
【００６５】
以上、本発明をその実施形態に基づき具体的に説明したが、本発明は上記実施形態に限定されるものではなく、例えば、上記実施形態においては、支持片２１ａ，４１ａ，５１，６１ａの外周面をＲ面のこば面としているが、必ずしもＲ面に限定されるものではなく、例えばフラット面等であっても良い。
【００６６】
また、上記実施形態においては、支持片２１ａ，４１ａ，５１ａ，６１ａ及びスリット２２ａ，４２ａ，５２ａ，６２ａを各々二個としているが、三個以上に対しても適用可能である。
【００６７】
なお、本発明の棒状化粧料繰出容器は、例えば、特公平３−７１１２１号公報に記載のように、摘み部の後端にスリットパイプを備える容器としての芯筒（先筒とも呼ぶ）と、容器としての外筒とを備え、スリットパイプには、上記棒状化粧料を支持する棒状化粧料支持体が摺動可能に収容され、芯筒のスリットパイプ部分が外筒内に収容されると共に芯筒と外筒とが相対回転自在に連結される棒状化粧料繰出容器に対しても適用可能である。すなわち、スリットパイプのスリットに支持片が摺動可能に進入すると共に、棒状化粧料支持体の後端部に設けられる突部が、当該スリットを通して外方に突出し、この突部が、外筒の内周側に形成され軸線方向に延在する雌螺子や螺旋溝等の螺子部に螺合する棒状化粧料繰出容器に対しても適用可能である。
【図面の簡単な説明】
【００６８】
【図１】本発明の第一実施形態に係る棒状化粧料繰出容器を示す縦断面図である。
【図２】図１中の棒状化粧料カートリッジを示す斜視図である。
【図３】図１のIII−III矢視図である。
【図４】図１及び図２中のスリットパイプを示す斜視図である。
【図５】図４に示すスリットパイプの右側面図である。
【図６】図５のVI-VI矢視図である。
【図７】図５のVII-VII矢視図である。
【図８】図１及び図２中の棒状化粧料支持体を示す斜視図である。
【図９】本発明の第二実施形態に係る棒状化粧料繰出容器のスリットパイプ及び棒状化粧料支持体を抽出して示す横断面図である。
【図１０】本発明の第三実施形態に係る棒状化粧料繰出容器のスリットパイプ及び棒状化粧料支持体を抽出して示す横断面図である。
【図１１】本発明の第四実施形態に係る棒状化粧料繰出容器のスリットパイプ及び棒状化粧料支持体を抽出して示す横断面図である。
【図１２】本発明の第五実施形態に係る棒状化粧料繰出容器のスリットパイプ及び棒状化粧料支持体を抽出して示す横断面図である。
【符号の説明】
【００６９】
１…棒状化粧料繰出容器、２…棒状化粧料カートリッジ、２０…カートリッジ本体（容器）、２１，４１，５１，６１…棒状化粧料支持体、２１ａ，４１ａ，５１ａ，６１ａ…支持片、２１ｃ…突部、２２，３２，４２，５２，６２…スリットパイプ、２２ａ，４２ａ，５２ａ，６２ａ…スリット、２２ｂ，３２ｂ，４２ｂ，５２ｂ，６２ｂ…スリットパイプの周壁、２２ｃ…凹設溝、Ｍ…棒状化粧料。
【図１】
2005028007.tif 000003
【図２】
2005028007.tif 000004
【図３】
2005028007.tif 000005
【図４】
2005028007.tif 000006
【図５】
2005028007.tif 000007
【図６】
2005028007.tif 000008
【図７】
2005028007.tif 000009
【図８】
2005028007.tif 000010
【図９】
2005028007.tif 000011
【図１０】
2005028007.tif 000012
【図１１】
2005028007.tif 000013
【図１２】
2005028007.tif 000014